(57)【要約】【課題】  ベリファイは記録データの信頼性をより向上させるために行われる動作であるが、記録と再生が繰り返して行われる為、例えば２倍速で記録を行っても、再生に同じ時間を費やすため、実質は１倍速記録と等価となってしまう。このように信頼性をより高めたい時にはベリファイ動作は有効であるが、実質の記録速度が半減するということになる。ディスクに応じてベリファイ動作を自動でＯＮ／ＯＦＦし、記録パフォーマンスを向上させることを課題とすることを課題とする。【解決手段】  光ディスクのリードイン領域にあるメディアＩＤと呼ばれるディスク固有の媒体情報を取得して、その媒体を特定し、光ディスクドライブ内部で予め所有している各メディアＩＤと1対１で対応するベリファイ動作有無のマトリックステーブルをもとにベリファイ動作の有無を決定する。【選択図】図１
2006309866.tif 000002
【特許請求の範囲】
【請求項１】
ディスク固有の情報であるメディアＩＤを有する光ディスクに対して、前記光ディスクへの記録を行った後に記録されたデータを再生して、再生データと記録データの比較を行いデータの一致を確認するベリファイ手段を有する光ディスク記録再生装置であり、
光ディスクからメディアＩＤを取得する手段と、
メディアＩＤに応じてベリファイ動作の有無を判定するためのテーブルとを有することを特徴とする光ディスク記録再生装置。
【請求項２】
ディスク固有の情報であるメディアＩＤを有する光ディスクに対して、前記光ディスクへの記録を行った後に記録されたデータを再生して、再生データと記録データの比較を行いデータの一致を確認するベリファイ手段を有する光ディスク記録再生装置であり、
光ディスクに記録中の記録位置を取得する手段と、
前記記録位置に応じてベリファイ動作の有無を判定するためのテーブルを有することを特徴とする光ディスク記録再生装置。
【請求項３】
ディスク固有の情報であるメディアＩＤを有する光ディスクに対して、前記光ディスクへの記録を行った後に記録されたデータを再生して、再生データと記録データの比較を行いデータの一致を確認するベリファイ手段を有する光ディスク記録再生装置であり、
光ディスクに照射するレーザー光の照射強度を適正な値に設定するためのレーザーパワー調整であるＯＰＣを行う手段と、
前記ＯＰＣで求めた適正パワーで記録した領域からディスクの品質パラメータを取得する手段と、
前記ディスクの品質パラメータに応じてベリファイ動作の有無を判定するためのテーブルを有することを特徴とする光ディスク記録再生装置。
【請求項４】
請求項１、２の光ディスク記録再生装置であって、
前記テーブル記録用の書換え可能な一時記憶手段を有することを特徴とする光ディスク記録再生装置。
【請求項５】
ディスク固有の情報であるメディアＩＤを有する光ディスクに対して、前記光ディスクへの記録を行った後に記録されたデータを再生して、再生データと記録データの比較を行いデータの一致を確認するベリファイ動作を行う光ディスク記録再生装置の記録再生方法であって、
光ディスクからメディアＩＤを取得し、得られたメディアＩＤに応じてベリファイ動作の有無を判定するためのテーブルをもとに、ベリファイの実行の有無を決定することを特徴とする光ディスク記録再生方法。
【請求項６】
請求項５の光ディスク記録再生方法であって、
メディアＩＤから、光ディスクが信頼性の低い媒体であると判断された場合は、
前記光ディスクに記録を行う際、ベリファイ動作を行うように設定し、
メディアＩＤから、光ディスクが信頼性の高い媒体であると判断された場合は、
前記光ディスクに記録を行う際、ベリファイ動作を行わないようにする
ことを特徴とする光ディスク記録再生方法。
【請求項７】
ディスク固有の情報であるメディアＩＤを有する光ディスクに対して、前記光ディスクへの記録を行った後に記録されたデータを再生して、再生データと記録データの比較を行いデータの一致を確認するベリファイ動作を行う光ディスク記録再生装置の光ディスク記録再生方法において、
光ディスクに記録中の記録位置に応じてベリファイ動作の有無を判定するためのテーブルで判定された結果でベリファイの有無を決定する
ことを特徴とする光ディスク記録再生方法。
【請求項８】
ディスク固有の情報であるメディアＩＤを有する光ディスクに対して、前記光ディスクへの記録を行った後に記録されたデータを再生して、再生データと記録データの比較を行いデータの一致を確認するベリファイ動作を行う光ディスク記録再生装置の記録再生方法において、
光ディスクに照射するレーザー光の照射強度を適正な値に設定するためのレーザーパワー調整ＯＰＣで求めた適正パワーで記録した領域から採取したディスクの品質パラメータに応じてベリファイ動作の有無を判定するためのテーブルからベリファイの有無を決定することを特徴とする光ディスク記録再生方法。
【請求項９】
請求項８の光ディスク記録再生方法であって、
レーザーパワー調整ＯＰＣで求めた適正パワーで記録した領域から採取したディスクの品質パラメータから、光ディスクが信頼性の低い媒体であると判断された場合は、
前記光ディスクに記録を行う際、ベリファイ動作を行うように設定し、
レーザーパワー調整ＯＰＣで求めた適正パワーで記録した領域から採取したディスクの品質パラメータから、光ディスクが信頼性の高い媒体であると判断された場合は、
前記光ディスクに記録を行う際、ベリファイ動作を行わないようにする
ことを特徴とする光ディスク記録再生方法。
【請求項１０】
請求項５、７の光ディスク記録再生方法であって、
前記テーブル情報内にはない未知のメディアＩＤが挿入された場合、
前記ディスクの品質パラメータに応じたベリファイ動作の有無判定テーブルを
前記テーブルに追加登録することを特徴とする光ディスク記録再生方法。
【発明の詳細な説明】
【技術分野】
【０００１】
本発明は、光ディスク記録再生装置に係り、特に書換え可能な光ディスクのベリファイ動作処理に関するものである。
【背景技術】
【０００２】
現在、CD-R/RW(CD Recordable / Rewritable)、DVD±R/RW(DVD±Recordable / Rerecordable Disc)、DVD-RAM(DVD-Re-writable)に代表される光学式のディスク状記録媒体（以下、光ディスク）に対して、半導体レーザーを用いてレーザー光を照射し、データ記録を行う記録再生装置がある。
【０００３】
その中でも書換え可能型のDVD-RAMは、書き込みデータの信頼性を向上させるために、記録時に常時、記録したデータを再生する「ベリファイ」を行っている。
【０００４】
このことは、特許文献１にも記載されている。
【０００５】
【特許文献１】特開２００２−３６７１７４公報
【発明の開示】
【発明が解決しようとする課題】
【０００６】
ベリファイは記録データの信頼性をより向上させるために行われる動作であるが、記録と再生が繰り返して行われる為、例えば２倍速で記録を行っても、再生に同じ時間を費やすため、実質は１倍速記録と等価となってしまう。このように信頼性をより高めたい時にはベリファイ動作は有効であるが、実質の記録速度が半減するデメリットも伴う。
【０００７】
通常、このベリファイ動作のＯＮ／ＯＦＦはユーザーは選択できないが、ＤＶＤ-ＲＡＭは、ドライブ内部でベリファイを行うメディアであるため、近年ユーザーが手動でＯＮ／ＯＦＦできるようなシステムも登場している。しかし、ディスク品質もわからずにユーザーが手動でベリファイをＯＮ／ＯＦＦするのは危険である。
【０００８】
そこで本発明は、ディスクに応じてベリファイ動作をドライブ自身が自動でＯＮ／ＯＦＦし、記録パフォーマンスを向上させることを課題とする。
【課題を解決するための手段】
【０００９】
上記、課題は、特許請求の範囲に記載した発明により達成される。
【発明の効果】
【００１０】
本発明によれば、ディスクの品質に合わせた適正なベリファイ動作を行うことができる。
【発明を実施するための最良の形態】
【００１１】
光ディスクへの記録を行った後、記録されたデータを直ぐに再生して、再生データと記録データの比較を行い、データの一致を確認するベリファイ動作を行う光ディスク記録再生装置において、光ディスクからメディアＩＤを取得する手段と、メディアＩＤに応じてベリファイ動作の有無を判定するためのテーブルを有することで、メディアＩＤから媒体を特定し、ディスク品質に応じた適正なベリファイ動作を行うことを可能とした。
【実施例１】
【００１２】
光ディスクのリードイン領域には、メディアＩＤと呼ばれるディスク固有の媒体情報（ディスクメーカー名、メディア型番等）が記録されており、光ディスクドライブはこの媒体固有のメディアＩＤを取得して、その媒体を特定する。例えば、適正なライトストラテジーを決定する用途等に使用されている。ライトストラテジーとは、メディアの規格ごと、また同じ規格でも倍速ごとに適切な記録ができるようレーザーパワーの制御を行うことである。
【００１３】
本発明では、このメディアＩＤを利用し媒体メーカ、媒体型番等で光ディスクドライブに挿入されたディスクを特定し、光ディスクドライブ内部で予め所有している各メディアＩＤと1対１で対応するベリファイＯＮ／ＯＦＦのマトリックステーブルをもとに、当該ディスクに対してベリファイを行うかどうかを判定する。
【００１４】
以下、本発明の実施例を図面を用いて説明する。
図1は本発明の実施例に関る記録再生装置の構成を示すブロック図である。以下図面を用いて説明する。
【００１５】
同図において１０１はディスク固有の媒体情報（媒体メーカ名、媒体型番等）が予め記録されているデータを記録再生可能な光ディスク、１０２は光ディスク１０１から記録信号を読み取るピックアップ、１０３はデータ記録再生手段であり、図中には示していないがデータ記録再生手段１０３はピックアップ１０２の制御を行うサーボ制御手段や、データの変復調を行う手段、誤り訂正を行う手段、データを一時記憶しておく一時記憶手段や、その一時記憶手段を制御する一時記憶手段制御手段、ＡＴＡＰＩ(AT Attachment Packet Interface)に代表されるプロトコルに従ってホスト１０４とのやり取りを行うホストＩ／Ｆ手段など、ピックアップから読み出されたデータを、外部装置のホスト１０４へ出力、またはホスト１０４からのデータをディスク上に記録するために必要な手段をすべて備えている。１０５はそのデータ記録再生手段を制御するマイコンである。
【００１６】
１０６は光ディスク１０１に記録してあるディスク固有の媒体情報を読み出すメディアＩＤ検出手段であり、１０７は各メディアＩＤと一対一に対応するベリファイ動作の有無を示したメディアＩＤ-ベリファイ動作の有無マトリックステーブルであり、１０８はＯＰＣ手段、１１０はＯＰＣ手段１０８で求めた適正パワーで記録した領域から採取したディスク品質パラメータを取得するディスク品質パラメータ取得手段、１０９はディスク品質パラメータと一対一に対応するベリファイ動作の有無を示したディスク品質パラメータ-ベリファイ動作の有無テーブルであり、１１１は光ディスク１０１に記録中の位置(アドレス)を取得する記録位置検出手段であり、１１２は記録位置と一対一に対応するベリファイ動作の有無を示した記録位置-ベリファイ動作の有無マトリックステーブルである。
【００１７】
次に、ベリファイ動作の有無の判定方法について３つを例に出して説明を行う。
【００１８】
第一の例はメディアＩＤでベリファイ動作の有無判定を行う例である。
光ディスクにはディスク固有のユニークなＩＤがつけられている。このディスク固有のユニークなＩＤはメディアＩＤと呼ばれ、ディスクを製造した媒体メーカや媒体型番等が記録されている。従って、このメディアＩＤが分かれば、当該ディスクの品質レベルの判断が可能となる。
【００１９】
この判断を可能とするために、事前に各メーカーのディスクの品質調査を行い、当該ディスクがベリファイ無しでも記録品質を保てるディスクであるかを検討することで、図２の２０１のような各メディアＩＤに対する適正なベリファイ動作有無のマトリックステーブルが得られる。
【００２０】
つまり、品質の悪いメディアが挿入された時、事前に登録された適正なベリファイ動作の有無をこのマトリックステーブル１０７をもとに判定する。判定結果に基づきドライブはベリファイ動作を行うことで、品質の悪いディスクに対してはベリファイ動作を行い信頼性を向上させ、そうでないディスクに対してはベリファイ動作を行わないことで実質の記録速度を倍増させ記録パフォーマンスを向上させることが可能となる。
【００２１】
次に、第二の例のディスクの記録位置でベリファイ動作の有無判定を行う例を説明する。通常、光ディスクの外周領域は内周領域に比べて、ディスクの反りや指紋等で欠陥が集まりやすい。
【００２２】
従って、どのあたり位置(アドレス)から、当該ディスクの品質が悪化するかどうかの判断ができれば記録位置に応じたベリファイ動作の有無の判定が可能となる。
この判断を可能とするために、事前に各メーカーのディスクの品質調査を行い、ディスクのどのあたりの領域からベリファイ無しでも記録品質を保てるかを検討することで、図２の２０２のような記録位置に対する適正なベリファイ動作有無のマトリックステーブルが得られる。
【００２３】
つまり記録中に、事前に登録された適正なベリファイ動作の有無をこのマトリックステーブル１１２を元に判定する。判定結果に基づきドライブは、ある位置を越えた場合はベリファイ動作を行うことで、品質の悪い外周領域に対してはベリファイ動作を行い信頼性を向上させ、そうでない内周領域に対してはベリファイ動作を行わないことで実質の記録速度を倍増させ記録パフォーマンスを向上させることが可能となる。
【００２４】
また、この第二の方法と第一の方法を組み合わせて、ある特定のメディアＩＤの内周はベリファイ動作を行わず、外周のみベリファイ動作を行わせる、といったことも可能である。
【００２５】
最後に、第三の例のディスクの記録位置によるベリファイ動作の有無判定を行う例を説明する。
【００２６】
ここでは、テーブルに登録されていない未知の媒体に関しての扱いを考えてみる。
ディスクに記録を開始する前には必ずＯＰＣ(Optimum Power Calibration)と呼ばれる、光ディスクに照射するレーザー光の照射強度を適正な値に設定するためのレーザーパワー調整を行うが、ＯＰＣ手段１０８等で得られた適正パワーで、ディスク内の特定領域（例えば試し書き領域）に試し書きを行い、その試し書きを行った箇所をリードし、ディスク品質の良し悪しを決める際に目安となるパラメータ（例えば、ＤＶＤ−Ｒ／ＲＷでいうとβ値（ピットの深さを数値化した指標）や変調度（最長記録マーク及びスペースによって発生したピークtoピーク値）等のパラメータやＰＩエラー数やジッタ等）を、ディスク品質パラメータ取得手段１１０で取得する。
【００２７】
メディアＩＤ-ベリファイ動作の有無マトリックステーブル１０７と同様に、ディスク品質パラメータ-ベリファイ動作の有無マトリックステーブル１０９を作成することで、未知のディスクでも媒体の品質に応じたベリファイ動作の有無を判定することが可能となる。
【００２８】
この１０９のディスク品質パラメータの数値はあくまで例であり、この例中の数値は特別な意味は持たない。実際の例を出して説明すると、ディスク品質パラメータが変調度であった場合、ＤＶＤプレーヤーで読めるためには、変調度が規格値の６０％以上を満足する必要があるため数値がある一定値以上が確保されれば、ベリファイ動作をＯＦＦするようなマトリックステーブルが必要になる。
ここでは、未知のメディアＩＤのディスクを対象にして例に出したが、当然ディスクＩＤを使用せずに、全てのディスクに対してディスク品質パラメータのみでベリファイ動作の有無を決定しても構わない。
【００２９】
つまり、優良ディスクと事前に分かっているものに関しては、ベリファイ動作をＯＦＦしたり、未知のメディアＩＤに関してはディスク品質パラメータをもとにベリファイ動作を決めたり、と自由にこのマトリックステーブルを作成することにより、ディスクの品質に合わせた適正なベリファイ動作の有無を決定することが可能となる。
【００３０】
また、未知のメディアに対してもファームウェアアップデート等で、このマトリックステーブル１０７を更新することで簡単にテーブルの更新が可能である。
【００３１】
また、ファームウェーアアップデート等を行わなくても、記録再生装置内部に書換え可能な領域を設け、未知のメディアに対してはディスク品質パラメータを取得し、
新たに、そのメディアＩＤに対するベリファイ動作の有無判定を追加登録することで、記録再生装置自身でテーブルの更新も可能である。
【００３２】
本実施例によれば、メディアＩＤを利用し媒体メーカ、媒体型番等で光ディスクドライブに挿入されたディスクを特定し、光ディスクドライブ内部で予め所有している、各種メディアＩＤと1対１で対応するベリファイ動作有無のマトリックステーブルを元にベリファイ動作の有無を判定することで、品質の悪いメディアに対しては通常通りベリファイＯＮして信頼性の向上させ、そうでないメディアに対しては、ベリファイＯＦＦすることで実質の記録速度を倍増させ、ディスクの品質に合わせた適正なベリファイ動作を行うことができる。
【００３３】
ＤＶＤ-ＲＡＭに限らず、Blu-ray、HD DVD等の追記、書き換え可能な光ディスク全般と、また光ディスクに限らず、記録媒体が特定できるようなユニークなＩＤを持つ記録媒体に対して適応できる。
【図面の簡単な説明】
【００３４】
【図１】記録再生装置の構成を示すブロック図
【図２】ベリファイ動作有無を決定するマトリックステーブル
【符号の説明】
【００３５】
１０１…光ディスク、１０２…ピックアップ、１０３…データ記録再生手段、
１０４…ホスト、１０５…マイコン、１０６…メディアＩＤ検出手段、
１０７…メディアＩＤ-ベリファイ動作有無マトリックステーブル、
１０８…ディスク品質パラメータを通知する手段、
１０９…ディスク品質パラメータ-ベリファイ動作有無マトリックステーブル、
１１０…ディスク品質パラメータ取得手段、
１１１…記録中の位置(アドレス)を示す記録位置検出手段、
１１２…記録位置-ベリファイ動作の有無マトリックステーブル、
２０１…各メディアＩＤ-ベリファイ動作の有無マトリックステーブル、
２０２…ディスク品質パラメータ-ベリファイ動作の有無マトリックステーブル、
２０３…ディスク品質パラメータ-ベリファイ動作の有無マトリックステーブル
【図１】
2006309866.tif 000003
【図２】
2006309866.tif 000004